(57)【要約】【目的】  本発明は、リモコンを使って施錠装置を開くとそのリモコン使用者が誰かを管理者が知ることが出来るようにすることを課題とする。【構成】  本発明では、出入り口に設ける施錠装置（１）に警戒モード設定手段を設けて登録した警戒モード解除用リモコン操作具（２）以外でロックを強制解除すると管理装置（３）へ通報するセキュリティ装置において、複数のリモコン操作具（２ａ），（２ｂ），（２ｃ）を設けると共に各リモコン操作具（２ａ），（２ｂ），（２ｃ）を個別に識別記憶する手段（４）を設け、リモコン操作具（２ａ），（２ｂ），（２ｃ）での開錠或いは／及び施錠操作時に管理装置（３）へ識別した内容を通知するようにした。【選択図】        図１
2005325667.tif 000002
【特許請求の範囲】
【請求項１】
出入り口に設ける施錠装置（１）に警戒モード設定手段を設けて登録した警戒モード解除用リモコン操作具（２）以外でロックを強制解除すると管理装置（３）へ通報するセキュリティ装置において、複数のリモコン操作具（２ａ），（２ｂ），（２ｃ）を設けると共に各リモコン操作具（２ａ），（２ｂ），（２ｃ）を個別に識別記憶する手段（４）を設け、リモコン操作具（２ａ），（２ｂ），（２ｃ）での開錠或いは／及び施錠操作時に管理装置（３）へ識別した内容を通知するようにしたことを特徴とするセキュリティ装置。
【請求項２】
リモコン操作具（２ａ），（２ｂ），（２ｃ）での操作を識別通知する際に管理者がリモコン操作具（２ａ），（２ｂ），（２ｃ）の使用者と通話出来るようにしたことを特徴とする請求項１に記載のセキュリティ装置。
【発明の詳細な説明】
【技術分野】
【０００１】  本発明は、住宅の玄関や他の出入口に設ける施錠装置で、電波で開閉操作を行うようにして防犯性を高めたセキュリティ装置に関する。
【背景技術】
【０００２】  電波を用いて室内側に設けた施錠装置を開閉操作するセキュリティ装置は外部から開閉操作する鍵穴が無い為にピッキング等の被害にあわないので近年普及してきた。【０００３】  例えば、本出願人は、特願２００２−２６９２１３号の特許出願（特開２００４−８０７２０号）で、室内への侵入や火災発生等を監視する装置とともにリモコンで開閉する電子ロックを備えたセキュリティ装置を出願して公開した。
【発明の開示】
【発明が解決しようとする課題】
【０００４】  従来のリモコンで開閉操作を行う施錠装置は１個或いは複数のリモコンで錠が開閉出来るようになっていた。
この複数のリモコンは家族がそれぞれ持っていて適宜に使えるようにしているが、リモコンを落としたり紛失したりした場合にそのリモコンを使って他人が室内へ侵入することを防げない。【０００５】  そこで、本発明は、リモコンを使って施錠装置を開いたり閉じたりするとそのリモコン使用者が誰かを管理者が知ることが出来るようにすることを課題とする。
【課題を解決するための手段】
【０００６】  出入り口に設ける施錠装置１に警戒モード設定手段を設けて登録した警戒モード解除用リモコン操作具２以外でロックを強制解除すると管理装置３へ通報するセキュリティ装置において、複数のリモコン操作具２ａ，２ｂ，２ｃを設けると共に各リモコン操作具２ａ，２ｂ，２ｃを個別に識別記憶する手段４を設け、リモコン操作具２ａ，２ｂ，２ｃでの開錠或いは／及び施錠操作時に管理装置３へ識別した内容を通知するようにした。【０００７】  また、リモコン操作具２ａ，２ｂ，２ｃでの操作を識別通知する際に管理者がリモコン操作具２ａ，２ｂ，２ｃの使用者と通話出来るようにした。
【発明の効果】
【０００８】  前記の構成によれば、リモコン操作具２ａ，２ｂ，２ｃ以外の手段で施錠装置１を操作すると不正侵入として管理装置３に通報するのであるが、複数あるリモコン操作具２ａ，２ｂ，２ｃのどれかで施錠装置１を操作するとどのリモコン操作具２ａ，２ｂ，２ｃを使ったかを管理者の管理装置３に通報するので、誰が出入したかことを知ることが出来ることになる。【０００９】  また、リモコン操作具２ａ，２ｂ，２ｃを使った際に管理装置３と通話可能にすることで、リモコン操作者と直接対話して声で登録した正規の使用者であるかどうかが確認できる。
リモコン操作具２ａ，２ｂ，２ｃの操作者が不正入手者であれば、話しかけに答えず答えたとすれば声の違いが管理者に判り、直ちに対策を行える。
【実施例】
【００１０】  次に、本発明の一実施例を示す図面を参照しながら説明する。
図１は、全体の構成を示すもので、電話器５にリモコン識別手段４を内蔵した受信器６を連結していて、この受信器６は赤外線センサ７、煙センサ８、窓センサ２０、ガス漏れセンサ１７からの警報信号を受けると警報器９を鳴動させたり電話器５へ警報信号を出力したりする。【００１１】  さらに、受信機６は、複数のリモコン操作具２ａ，２ｂ，２ｃから開閉信号を受けて施錠装置１を開閉制御すると共に電話器５を通じて管理装置３である携帯電話へ開閉操作を行ったこととリモコン操作具２ａ，２ｂ，２ｃの識別内容例えばリモコン番号を通知し、携帯電話３と受信機６が通話状態となってリモコン操作者と会話が出来るようになる。【００１２】  このときリモコン操作具２ａ，２ｂ，２ｃを不正な手段で入手した者であれば話しかけに応答しないか応答すると声が違うことで不正侵入と分かり、対策を直ちに講じることが出来る。
なお、リモコン操作具２ａ，２ｂ，２ｃは、単なる登録信号と解除信号を発信するものでも携帯電話でも良い。【００１３】  図２は、警報や開閉信号の流れを示す制御ブロック図で、施錠装置１、赤外線センサ７、煙センサ８、窓センサ２０、ガス漏れセンサ１７からの警報信号及び複数のリモコン操作具２ａ，２ｂ，２ｃからの開閉信号が入力端部２１に入る。【００１４】  入力端部２１から受信器６内の演算装置１０に入力し、演算装置である識別手段４で警報信号の種別や開閉したリモコン操作具２ａ，２ｂ，２ｃの識別番号を中央演算装置１１に入力し、中央演算装置１１で入力情報を分析判断し、不正侵入と判断されるとＲＯＭ１２に記憶した複数の通報１３，１４，１５，１６へ電話器５を介して侵入を示す警報信号音或いは合成音声として順次送信する。【００１５】  また、中央演算装置１１で施錠装置１の開閉が正規のリモコン操作具２ａ，２ｂ，２ｃによる開閉操作であれば、そのリモコン操作具の識別番号が電話器５を介して管理装置３へ合成音声で通報され、このときに通話状態になるので受信機６を通じてリモコン操作者と会話が出来るようになる。【００１６】  ＲＯＭ１２へは家屋の所有者が知り合いや警察等の通報先１３，１４，１５，１６の電話番号を通報順位ごとに記憶し、複数のリモコン操作具２ａ，２ｂ，２ｃの識別番号或いは使用者名を記憶する。【００１７】  図３は、リモコン操作具２ａ，２ｂ，２ｃの開錠操作における制御のフローチャート図で、リモコン操作具２ａ，２ｂ，２ｃによって開錠信号が受信機６へ送られる（Ｓ２）と正規のリモコン操作具２ａ，２ｂ，２ｃであるかどうかがリモコン登録信号で判断（Ｓ３）され、正規でなければ開錠せず（Ｓ８）、正規であれば開錠（Ｓ４）する。【００１８】  さらに、正規のリモコン操作具２ａ，２ｂ，２ｃであれば電話機５を介して管理装置３へリモコン識別番号或いは使用者名を通報しリモコン操作者と管理機３の所有者が会話をすることを促すことになる。【００１９】  図４は、リモコン操作具２ａ，２ｂ，２ｃとして携帯電話３を用いた場合の制御フローチャート図である。携帯電話３からの電話を電話器５が受けて受信機６に入力する（Ｓ１１）と、まず登録番号が正規の番号であるかどうかが判断（Ｓ１２）され、違っていればアクセスを拒否（Ｓ１９）する。【００２０】  正規の番号であればパスワードの入力（Ｓ１３）を促してそのパスワードが正しくなければ開錠を拒否（Ｓ２０）する。正しいパスワードであれば開錠（Ｓ１５）して、その開錠に使った携帯番号を管理機３へ通報（Ｓ１６）し管理者と通話（Ｓ１７）が可能になる。この際に管理機３で開錠した場合には通知の必要が無いので通知をしない。
【図面の簡単な説明】
【００２１】
【図１】本発明の実施例における全体構成斜視図である。
【図２】本発明の実施例における制御ブロック図である。
【図３】本発明の実施例における制御フローチャート図である。
【図４】本発明の実施例における制御フローチャート図である。
【符号の説明】
【００２２】１  施錠装置
２  リモコン操作具
３  管理装置
４  識別手段
【図１】
2005325667.tif 000003
【図２】
2005325667.tif 000004
【図３】
2005325667.tif 000005
【図４】
2005325667.tif 000006